(57)【要約】【課題】コアに対してキャップを容易に取付けることができ、かつ使用中にコアからキャップが外れることがない巻枠を提供する。【解決手段】巻枠１０は円筒状コア１１と、円筒状コア１１の両端部に設けられ、各々フランジ１２ａ、１３ａを有するキャップ１２、１３とを備えている。例えばキャップ１３はフランジ１３ａからコア１１側へ延びる円筒状嵌合部１５と、嵌合部１５と平行に延びる爪部１５ｂとを有している。嵌合部１５には一対のスリット１５ｄが形成され、爪部１５ｂはこの一対のスリット１５ｄ間に延びている。爪部１５ｂの先端に突起１５ｃが設けられている。コア１１の内径をＤ、嵌合部１５の長さをＬとしたとき、Ｌ≧１．０×Ｄとなっている。【選択図】図１
2007269457.tif 000002
【特許請求の範囲】
【請求項１】
円筒状コアと、
円筒状コアの両端部に取付けられ、各々がフランジを有する一対のキャップとを備え、
少なくとも一方のキャップには、フランジから延びコア内面に嵌合する嵌合部と、嵌合部の基端に連結され、嵌合部と平行に延びるとともにコア内面の係止部に係合する突起を有する爪部とを有し、
コアの内径をＤ、嵌合部の長さをＬとしたとき、
Ｌ≧１．０×Ｄ
となることを特徴とする巻枠。
【請求項２】
嵌合部は略円筒形状を有し、この嵌合部に先端から基端に向って平行に延び爪部を形成する一対のスリットが設けられていることを特徴とする請求項１記載の巻枠。
【請求項３】
コア内面の係止部は、コア内面から内方へ突出する突出係止部からなることを特徴とする請求項１記載の巻枠。
【請求項４】
コア内面の係止部は、コアに形成された貫通孔からなることを特徴とする請求項１記載の巻枠。
【請求項５】
嵌合部は断面中実形状を有することを特徴とする請求項１記載の巻枠。
【発明の詳細な説明】
【技術分野】
【０００１】
本発明は、ロール紙、熱転写フィルム等の帯状物を巻き付けて供給したり、巻き上げたりする巻枠に関する。
【背景技術】
【０００２】
従来の巻枠は、コアと、フランジを有する第１のキャップと、フランジを有する第２のキャップとを有している。コアは、ロール紙、熱転写フィルム等の帯状物を巻くための芯であり、コアの両端部に第１のキャップと、第２のキャップとが取付けられている（特許文献１参照）。
【０００３】
第１のキャップのフランジは、コアに巻かれた受像シートを保護し、ガイドするためのものであり、フランジにはプリンタから駆動力を伝えるためのギヤ部と、軸部と、コア内に嵌合する嵌合部とが一体に設けられている。第２のキャップのフランジには、軸部と、コア内に嵌合する嵌合部とが一体に設けられている。
【０００４】
第１及び第２のキャップの嵌合部は、コアの内面に嵌合するようにその外径が決められている。
【特許文献１】特開２００１−２６１２４２号公報
【発明の開示】
【発明が解決しようとする課題】
【０００５】
しかしながら、前述した従来の巻枠において、コア内面に第１のキャップの嵌合部と第２のキャップの嵌合部とが嵌合しているが、第１のキャップの嵌合部と第２のキャップの嵌合部をコア内面にきつく嵌合させた場合、使用中にコアから第１のキャップおよび第２のキャップが外れることは少ないが、第１のキャップと第２のキャップをコアに取付ける作業が困難となる。
【０００６】
他方、コア内面に第１のキャップの嵌合部と第２のキャップの嵌合部を緩く嵌合させた場合、使用中にコアから第１のキャップおよび第２のキャップが外れ易くなる。
【課題を解決するための手段】
【０００７】
本発明は、このような点を考慮してなされたものであり、コアに対して第１および第２のキャップを容易かつ簡単に嵌合させることができ、かつ使用中にコアから第１および第２のキャップが外れることのない巻枠を提供することを目的とする。
【０００８】
本発明は、円筒状コアと、円筒状コアの両端部に取付けられ、各々がフランジを有する一対のキャップとを備え、少なくとも一方のキャップには、フランジから延びコア内面に嵌合する嵌合部と、嵌合部の基端に連結され、嵌合部と平行に延びるとともにコア内面の係止部に係合する突起を有する爪部とを有し、コアの内径をＤ、嵌合部の長さをＬとしたとき、Ｌ≧１．０×Ｄとなることを特徴とする巻枠である。
【０００９】
本発明は、嵌合部は略円筒形状を有し、この嵌合部に先端から基端に向って平行に延び爪部を形成する一対のスリットが設けられていることを特徴とする巻枠である。
【００１０】
本発明は、コア内面の係止部は、コア内面から内方へ突出する突出係止部からなることを特徴とする巻枠である。
【００１１】
本発明は、コア内面の係止部は、コアに形成された貫通孔からなることを特徴とする巻枠である。
【００１２】
本発明は、嵌合部は断面中実形状を有することを特徴とする巻枠である。
【発明の効果】
【００１３】
以上のように、本発明によれば、キャップの嵌合部をコア内に挿入することにより、爪部の突起がコアの係止部に係合するため、キャップをコアに係止することができる。また、コアの内径をＤ、嵌合部の長さをＬとしたとき、Ｌ≧１．０×Ｄとなっているので、コア内にキャップの嵌合部を安定して嵌合することができる。
【発明を実施するための最良の形態】
【００１４】
以下、図面を参照して本発明の実施の形態について説明する。図１および図２（ａ）−（ｃ）は、本発明による巻枠の一実施の形態を示す図である。ここで図２（ａ）はキャップ１３の側面図、図２（ｂ）はキャップ１３の正面図、図２（ｃ）はコア１１にキャップ１３を嵌込んだ状態を示す図である。
【００１５】
図１および図２（ａ）−（ｃ）に示すように、巻枠１０はロール紙、熱転写フィルム等の帯状物を巻付けて供給したり、巻き上げたりするものである。このような巻枠１０は、受像シートを巻付ける円筒状コア１１と、円筒状コア１１の両端部に取付けられ各々がフランジ１２ａ、１３ａを有する一対のキャップ１２、１３とを備えている。
【００１６】
このうち一方のキャップ１２はフランジ１２ａと、フランジ１２ａの裏面に設けられフランジ１２ａを保持するリブ１２ｂとを有し、フランジ１２ａの裏面には、図示しないプリンタの駆動ギアと係合するギア１２ｄが設けられている。またフランジ１２ａの裏面中心には中心軸１２ｃが設けられている。
【００１７】
一方、他方のキャップ１３はフランジ１３ａと、フランジ１３ａの裏面に設けられたリブ（図示せず）および中心軸１３ｃとを有している。
【００１８】
このような構成かなる一方のキャップ１２および他方のキャップ１３は、いずれも嵌合部１４および嵌合部１５を有し、これらの嵌合部１４、１５をコア１１の内面に嵌合させることにより、一方のキャップ１２および他方のキャップ１３はコア１１の両端部に堅固に固定される。
【００１９】
次に、一方のキャップ１２および他方のキャップ１３の嵌合部１４、１５の構造について、以下説明する。一方のキャップ１２および他方のキャップ１３の嵌合部１４、１５は略同一構成を有しているため、以下キャップ１３の嵌合部１５の構造について説明する。
【００２０】
図１および図２（ａ）−（ｃ）に示すように、キャップ１３の嵌合部１５はフランジ１３ａからコア１１側に延び、コア１１内面に嵌合するようになっている。キャップ１３の嵌合部１５は略円筒形状を有し、フランジ１３ａ側は基端１５ａとなっている。
【００２１】
また嵌合部１５には先端１５ｆから基端１５ａに向って平行に延びる一対のスリット１５ｄが形成され、この一対のスリット１５ｄ間に爪部１５ｂが形成されている。この場合、爪部１５ｂは嵌合部１５に対して平行に延びている。また一対のスリット１５ｄは嵌合部１５の基端１５ａを残して嵌合部１５の先端１５ｆから基端１５ａに向って形成されており、スリット１５ｄ間の爪部１５ｂは基端１５ａを中心として半径方向の内方および外方へ向って揺動可能となっている。また爪部１５ｂの先端には半径方向外方へ突出する突起１５ｃが設けられ、この突起１５ｃはコア１１ａに設けられた貫通孔１１ａに係合するようになっている。
【００２２】
また、嵌合部１５は、断面略リング状をなし（図２（ｂ））、嵌合部１５の先端１５ｆは、爪部１５ｂの先端に略一致している。
【００２３】
さらにコア１１の内径をＤ、嵌合部１５の長さをＬとした場合、
Ｌ≧１．０×Ｄ
となっている。
【００２４】
なおコア１１の内径Ｄと嵌合部１５の長さＬとの関係は、好ましくはＬ≧１．５×Ｄとなっている。さらにより好ましくはＬ≧２．０×Ｄとなっている。
【００２５】
このように嵌合部１５の長さＬは、Ｌ≧１．０×Ｄのように比較的長くなっているので、キャップ１３は嵌合部１５によりコア１１内面に堅固に嵌合される。このため使用中に、キャップ１３がコア１１から外れることはない。また好ましくはＬ≧１．５×Ｄとなっており、より好ましくはＬ≧２．０×Ｄとなっている。この場合は、キャップ１３を嵌合部１５によりコア１１内面により堅固に嵌合することができる。
【００２６】
さらに嵌合部１５の基端１５ａには、半径方向外向へ突出する位置決めリブ１５ｅが設けられており、この位置決めリブ１５ｅをコア１１の端部に形成された切欠１１ｃに係合することにより、コア１１に対してキャップ１３の周方向の位置決めを行なうことができる。
【００２７】
なお、上記においてキャップ１３の嵌合部１５について説明したが、キャップ１２の係合部１４も嵌合部１５と略同一の構成を有している。
【００２８】
図１において、キャップ１２の嵌合部１４に突起１６ｃが設けられている。
【００２９】
次にこのような構成からなる本実施の形態の作用について説明する。
【００３０】
まず、コア１１に対してキャップ１２、１３を嵌合する作用について述べる。ここでは、便宜上コア１１に対してキャップ１３を嵌合する作用について述べるが、キャップ１２を嵌合する作用もキャップ１３を嵌合する作用と略同一である。
【００３１】
すなわち、当初はコア１１に対してキャップ１３は取外されている。
【００３２】
次にコア１１の切欠１１ｃに、キャップ１３の位置決めリブ１５ｅを係合するようにして、コア１１に対してキャップ１３の嵌合部１５を挿入する。
【００３３】
このとき、キャップ１３の爪部１５ｂの先端に設けられた突起１５ｃがコア１１内面に当接して爪部１５ｂが半径方向内方へ撓み、その後突起１５ｃがコア１１の貫通孔１１ａに係合する。この場合、爪部１５ｂは半径方向外方へ戻り、かつ位置決めリブ１５ｅがコア１１の切欠１１ｃに係合する。
【００３４】
このようにしてキャップ１３はコア１１に対して周方向および軸方向に位置決めされ、かつ固定される。
【００３５】
以上のように本実施の形態によれば、コア１１の内径をＤ、嵌合部１５の長さをＬとしたとき、Ｌ≧１．０×Ｄ、好ましくはＬ≧１．５×Ｄ、より好ましくはＬ≧２．０×Ｄとなっているので、比較的長さの長い嵌合部１５の外周がコア１１内面に当接することになる。このため巻枠１０の使用中にキャップ１３が外部に当接したりしても、コア１１に対してキャップ１３が傾斜することはなく、使用中にコア１１からキャップ１３が外れることはない。
【００３６】
次に図３（ａ）−（ｃ）乃至図５（ａ）−（ｃ）により、本発明の変形例について説明する。
【００３７】
図３（ａ）−（ｃ）に示す変形例は、コア１１に貫通孔１１ａを設ける代わりに、コア１１の内面に半径方向内方へ突出する突出係止部１１ｂを設けたものであり、他の構成は図１および図２（ａ）−（ｃ）に示す実施の形態と略同一である。
【００３８】
図３（ａ）−（ｃ）において、図１および図２（ａ）−（ｃ）に示す実施の形態と同一部分には同一符号を符して詳細な説明は省略する。
【００３９】
図３（ａ）−（ｃ）において、コア１１の内面に突出係止部１１ｂが設けられ、またキャップ１３の爪部１５ｂの先端の突起１５ｃが突出係止部１１ｂに係合するようになっている。なお、図３（ａ）−（ｃ）において、爪部１５ｂの突起１５ｃは、図２（ａ）−（ｃ）の突起１５ｃより半径方向内方へ引込んでいる。
【００４０】
図４（ａ）−（ｃ）に示す変形例は、円筒形状の嵌合部１５を設ける代わりに、断面矩形状をなす中実嵌合部１５を設けたものであり、他の構成は図１および図２（ａ）−（ｃ）に示す実施の形態と略同一である。
【００４１】
図４（ａ）−（ｃ）において、図１および図２（ａ）−（ｃ）に示す実施の形態と同一部分には同一符号を符して詳細な説明は省略する。
【００４２】
図４（ａ）−（ｃ）において、キャップ１３の嵌合部１５は矩形状の断面形状を有し、嵌合部１５はその底辺においてコア１１の内面に当接している。
【００４３】
図５（ａ）−（ｃ）に示す変形例は、コア１１に貫通孔１１ａを設ける代わりに、コア１１の内面に半径方向内方へ突出する突出係止部１１ｂを設けたものであり、他の構成は図４（ａ）−（ｃ）に示す変形例と略同一である。
【００４４】
図５（ａ）−（ｃ）において、図４（ａ）−（ｃ）に示す変形例と同一部分には同一符号を符して詳細な説明は省略する。
【００４５】
図５（ａ）−（ｃ）において、コア１１の内面に突出係止部１１ｂが設けられ、またキャップ１３の爪部１５ｂの先端の突起１５ｃが突出係止部１１ｂに係合するようになっている。なお、図５（ａ）−（ｃ）において、爪部１５ｂの突起１５ｃは、図４（ａ）−（ｃ）の突起１５ｃより半径方向内方へ引込んでいる。
【実施例】
【００４６】
次に本発明の具体的実施例について以下説明する。
【００４７】
以下に示す実施例（１）−（４）は、各々実施例（１）図１および図２（ａ）−（ｃ）に示す巻枠、実施例（２）図３（ａ）−（ｃ）に示す巻枠、実施例（３）図４（ａ）−（ｃ）に示す巻枠、および実施例（４）図５（ａ）−（ｃ）に示す巻枠に対応している。
【００４８】
また本発明の比較例（１）−（４）を図６（ａ）−（ｃ）、図７（ａ）−（ｃ）および図８（ａ）−（ｃ）に各々示す。
【００４９】
比較例（１）の巻枠２０は図６（ａ）−（ｃ）に示すように、コア２１と、キャップ２３とを有し、キャップ２３は円筒状嵌合部２５を有するが、爪部は有していない。また嵌合部２５はコア２１内にきつく嵌合している。
【００５０】
比較例（２）の巻枠２０は図６（ａ）−（ｃ）に示すように、コア２１と、キャップ２３とを有し、キャップ２３は円筒状嵌合部２５を有するが、爪部は有していない。また嵌合部２５はコア２１内に緩く嵌合している。
【００５１】
比較例（３）は、図７（ａ）−（ｃ）に示すように、コア２１と、キャップ２３とを有し、キャップ２３はきわめて短い長さの嵌合部２５を有している。嵌合部２５の長さＬは、コア２１の内径をＤとしたとき、Ｌ≦０．５Ｄとなっている。またキャップ２３は突起２５ｃが設けられた爪部２５ｂを有し、突起２５ｃはコア２１の貫通孔２１ａに係合している。
【００５２】
比較例（４）は図８（ａ）−（ｃ）に示すように、コア２１と、キャップ２３とを有し、キャップ２３はきわめて短い長さの嵌合部２５を有している。嵌合部２５の長さＬは、コア２１の内径をＤとしたとき、Ｌ≦０．５Ｄとなっている。またキャップ２３は突起２５ｃが設けられた爪部２５ｂを有し、突起２５ｃはコア２１の内面に設けられた突出係止部１１ｂに係合している。
【００５３】
次に上記実施例（１）−（４）および比較例（１）−（４）に対して、コアに対するキャップの取付け作業を行なうとともに、コアにキャップを取付けて巻枠を作製した後、巻枠を１ｍの高さから落下させ、キャップの外れ具合を観察した。
【００５４】
その結果を表１に示す。
【表１】
2007269457.tif 000003
【００５５】
次に図１および図２（ａ）−（ｃ）に示す巻枠と略同様の構造において、コア１１の内径Ｄと、嵌合部１５の長さＬのみを種々変化させ、衝撃によるキャップ外れの状況を確認した。その結果を表２に示す。
【表２】
2007269457.tif 000004
【図面の簡単な説明】
【００５６】
【図１】図１は本発明による巻枠の実施の形態を示す斜視図。
【図２】図２（ａ）−（ｃ）は本発明による巻枠の実施の形態を示す図。
【図３】図３（ａ）−（ｃ）は本発明による巻枠の変形例を示す図。
【図４】図４（ａ）−（ｃ）は本発明による巻枠の変形例を示す図。
【図５】図５（ａ）−（ｃ）は本発明による巻枠の変形例を示す図。
【図６】図６（ａ）−（ｃ）は本発明による巻策の比較例を示す図。
【図７】図７（ａ）−（ｃ）は本発明による巻策の比較例を示す図。
【図８】図８（ａ）−（ｃ）は本発明による巻策の比較例を示す図。
【符号の説明】
【００５７】
１０  巻枠
１１  コア
１１ａ  貫通孔
１１ｂ  突出係止部
１１ｃ  切欠
１２  キャップ
１２ａ  フランジ
１２ｃ  中心軸
１２ｄ  ギア
１３  キャップ
１４  嵌合部
１５  嵌合部
１５ａ  基端
１５ｂ  爪部
１５ｃ  突起
１５ｄ  スリット
１５ｅ  位置決めリブ
【図１】
2007269457.tif 000005
【図２】
2007269457.tif 000006
【図３】
2007269457.tif 000007
【図４】
2007269457.tif 000008
【図５】
2007269457.tif 000009
【図６】
2007269457.tif 000010
【図７】
2007269457.tif 000011
【図８】
2007269457.tif 000012